(57)【要約】      （修正有）【課題】ライブビュー表示に切り替えの際、良好な画像を表示し、無駄な電力の消費を抑える撮像装置を提供する。【解決手段】撮影レンズが被写体に向いているか否か判断する判断手段と、判断手段により撮影レンズが被写体に向いていると判断された場合に、焦点制御を行う焦点制御手段と、焦点制御手段による焦点制御の後に、ライブビュー表示を行うライブビュー表示手段と、撮影レンズが被写体に向いていないと判断された場合に、撮影レンズを被写体に向けるよう警告を行う警告手段とを備える。各手段は、全体制御部がその機能を有する。【選択図】図４
2010041490.tif 000002
【特許請求の範囲】
【請求項１】
撮影レンズが被写体に向いているか否か判断する判断手段と、
前記判断手段により前記撮影レンズが前記被写体に向いていると判断された場合に、焦点制御を行う焦点制御手段と、
前記焦点制御手段による前記焦点制御の後に、ライブビュー表示を行うライブビュー表示手段と、
を備えることを特徴とする撮像装置。
【請求項２】
前記判断手段により前記撮影レンズが前記被写体に向いていないと判断された場合に、前記撮影レンズを前記被写体に向けるよう警告を行う警告手段を備えることを特徴とする請求項１記載の撮像装置。
【請求項３】
前記警告手段による前記警告の後に、前記焦点制御手段による前記焦点制御を行うか否かを撮影者に選択させるための表示を行う表示手段を備えることを特徴とする請求項２記載の撮像装置。
【請求項４】
前記判断手段は、前記撮影レンズが装着されるカメラ本体の姿勢を検知することで前記撮影レンズが被写体に向いているか否か判断することを特徴とする請求項１乃至３のいずれかに記載の撮像装置。
【請求項５】
前記判断手段は、前記撮影レンズが装着されるカメラ本体のぶれを検知することで前記撮影レンズが被写体に向いているか否か判断することを特徴とする請求項１乃至３のいずれかに記載の撮像装置。
【発明の詳細な説明】
【技術分野】
【０００１】
本発明は、撮像素子から得られる撮像対象物の画像をライブビュー表示可能な撮像装置に関する。
【背景技術】
【０００２】
一般に一眼レフタイプの撮像装置では、ＣＣＤ等の撮像素子を用い、撮影レンズから撮像素子に至る撮影光路に反射ミラーを斜めに配置し、回動により反射ミラーを光路から退避させることが行われている。
【０００３】
撮影、即ち、撮像素子の露光の直前までは反射ミラーを撮影光路上に位置させて、光をペンタプリズムに向けて反射させ、撮影時には反射ミラーを退避させて光を撮像素子に導き、撮影直後に反射ミラーを光路上に戻す制御が行われる。この方式の反射ミラーはクイックリターンミラーと呼ばれている。
【０００４】
上記撮像装置は、被写体までの合焦位置を検知する測距センサを内蔵し、撮影レンズからの光束を測距センサに導き、被写体の測距を行っている。
【０００５】
この測距方式には、撮像レンズを通った光をセパレータレンズで分離して、それらの像間の距離を元、にレンズ移動量を求めて合焦を行う位相差オートフォーカス（ＡＦ）方式が用いられる。
【０００６】
また、上記測距方式には、撮像素子で得られた画像データのコントラストを元に合焦を行うコントラストＡＦ方式があるが、一般に良好な合焦が求められる位相差ＡＦ方式が用いられる。
【０００７】
また、撮像装置には、液晶表示器等の表示装置が備えられており、撮像装置の各種機能を設定するためのメニュー表示や、記録済みの画像の再生表示等に用いられている。
【０００８】
この表示装置は、撮像素子から得られる被写体像を逐次表示するライブビュー表示にも用いられ、撮影者は、このライブビュー画像を見ながら構図を設定し、あるいは合焦状態を確認することができる電子ビューファインダとしても用いられている。
【０００９】
クイックリターンミラーを備えた撮像装置において、光学ファインダの使用と電子ビューファインダの使用を両立させたものが提案されている。しかし、一般的にこの構成では、光学ファインダを使用するために全反射ミラーを光路上に位置させている間は、撮像素子に光が入射せず、ライブビュー表示ができない。
【００１０】
特許文献１には、以下の技術が開示されている。
【００１１】
即ち、光学ファインダからライブビュー表示に切り替え時に、良好な撮影画像の表示を行うため、遠景から近景まで、ある程度ピントが合っているフォーカス位置に撮影レンズを移動した後、撮影レンズによって結像されている被写体像を表示する。
【００１２】
また、特許文献２には、ライブビュー表示切り替え直前のフォーカス位置を記憶し、撮影釦を押し下げ後、表示画像に反映するか否かを撮影者に選択させる技術が開示されている。
【特許文献１】特開２０００−５０１４１号公報
【特許文献２】特開２００６−１６３０９４号公報
【発明の開示】
【発明が解決しようとする課題】
【００１３】
しかしながら、上記従来技術においては、光学ファインダモードからライブビュー表示モードへの切り替え操作時に、撮影レンズを被写体に向けておらず、撮影者が意図した被写体にピントが合っていないという問題がある。また、上記従来技術においては、上記動作のために、電力を無駄に消費してしまうという問題がある。
【００１４】
本発明の目的は、ライブビュー表示に切り替えの際、良好な画像を表示し、無駄な電力の消費を抑える撮像装置を提供することにある。
【課題を解決するための手段】
【００１５】
上記目的を達成するために、本発明の撮像装置は、撮影レンズが被写体に向いているか否か判断する判断手段と、前記判断手段により前記撮影レンズが前記被写体に向いていると判断された場合に、焦点制御を行う焦点制御手段と、前記焦点制御手段による前記焦点制御の後に、ライブビュー表示を行うライブビュー表示手段とを備えることを特徴とする。
【発明の効果】
【００１６】
本発明の撮像装置によれば、ライブビュー表示に切り替えの際、良好な画像を表示し、無駄な電力の消費を抑えることができる。
【発明を実施するための最良の形態】
【００１７】
以下、本発明の実施の形態を図面を参照しながら詳細に説明する。
【００１８】
図１は、本発明の実施の形態に係る撮像装置において、ミラーダウンした状態の概略構成図、図２は、本発明の実施の形態に係る撮像装置において、ミラーアップした状態の概略構成図である。
【００１９】
以下、その構成を動作と併せて説明する。
【００２０】
図１、図２において、本撮像装置は、一眼レフカメラで構成されており、カメラ本体１に対して着脱可能な撮影レンズ２は、マウント部３によってカメラ本体１に固定される。撮影レンズ２には、ズーミング用レンズ４、ピント合わせ用レンズ５と絞り６を備えている。
【００２１】
撮影レンズ２に設けられた絞り６を通ってきた被写体からの光束は、クイックリターンミラー７により上方に反射され、ファインダ光学系（光学ファンダユニット）８を介して被写体像として観察される。
【００２２】
撮影時及びライブビュー表示時において、クイックリターンミラー７及びＡＦ用ミラー９は、図２に示すように、ファインダ光学系８側にはね上げられる。そして、撮影レンズ２を通ってきた被写体からの光束は、シャッター先幕１０の直後に配置された撮像素子１１によって受光され、画像処理されたデータとなって表示装置１２に表示され、または、図示しない記録媒体に画像データとして記録される。
【００２３】
また、焦点制御手段として、ＡＦ用センサ１３及びＡＦ用レンズ１４が、クイックリターンミラー７の下方に配置されている。撮影レンズ２を通ってきた被写体からの光束を、クイックリターンミラー７の背面に位置されたＡＦ用ミラー９とＡＦ用レンズ１４によりＡＦ用センサ１３の受光面上に導くよう、ＡＦ用ミラー９とＡＦ用レンズ１４は位置決めされている。
【００２４】
図３は、図１の撮像装置のブロック図である。
【００２５】
本実施の形態の撮像装置は、カメラ本体１とカメラ本体１に装着される撮影レンズ２を備えている。
【００２６】
カメラ本体１は、撮像素子１１、表示装置１２、操作部材１６、全体制御部１７、記憶装置１８、撮影状況検知部１９を備える。撮影レンズ２は、光学ユニット部２０、レンズ駆動部２１を備える。
【００２７】
光学ユニット部２０を通した光束は、撮像素子１１上に結像されるとともに電気信号に変換される。
【００２８】
操作部材１６においてライブビュー表示の開始が選択されると、撮影状況検知部１９によりカメラ本体１の撮影状況を検知し、撮影に適していると判断した場合は、レンズ駆動部２１は、光学ユニット部２０を駆動する。
【００２９】
そして、レンズ駆動部２１は、全体制御部１７において最適と判断されるレンズ位置に光学ユニット部２０を駆動した後、ミラーアップし、撮像素子１１上に結像した被写体像を表示装置１２に表示する。
【００３０】
操作部材１６においてライブビュー表示の開始が選択されると、撮影状況検知部１９によりカメラ本体１の撮影状況を検知し、撮影に適していないと判断した場合は、速やかにミラーアップし、撮像素子１１上に結像した被写体像を表示装置１２に表示する。
【００３１】
図４は、図３の撮像装置によって実行されるライブビュー表示切り替え処理の第１の実施の形態の手順を示すフローチャートである。
【００３２】
本処理は、図３における全体制御部１７の制御の下に実行される。
【００３３】
カメラ本体１の起動時、カメラ本体１は、クイックリターンミラー７がダウン状態となっており、ステップＳ１０１で、操作部材１６のライブビュー（ＬＶ）開始釦の操作を受け付ける待機状態となる。
【００３４】
ライブビュー開始釦が押下されると、ステップＳ１０２に移り、カメラ本体１の撮影状況検知部１９の出力から全体制御部１７がカメラ本体１の姿勢を検知する。
【００３５】
ステップＳ１０２は、撮影レンズ２による撮影状況（カメラ本体１の姿勢）を検知する。
【００３６】
ステップＳ１０３において、全体制御部１７は、ある閾値を基準に、撮影状況検知部１９で検知された値から、カメラ本体１の向きがある閾値以上に下向きではないと判断した場合、ステップＳ１０４に移る。
【００３７】
ステップＳ１０３は、検知された撮影状況から撮影レンズ２が被写体に向いているか否か判断する判断手段として機能する。
【００３８】
ステップＳ１０４において、ミラーダウンの状態のまま位相差ＡＦを行い、ステップＳ１０５において、非図示の測光装置において測光する。
【００３９】
ステップＳ１０４、ステップＳ１０５は、判断手段により撮影レンズ２が被写体に向いていると判断された場合に、焦点制御を行う焦点制御手段として機能する。
【００４０】
ステップＳ１０６において、クイックリターンミラー７及びＡＦ用ミラー９をファインダ光学系８側に跳ね上げ、光束を撮像素子１１上に結像し、ステップＳ１０７において、表示装置１２にライブビューを表示する。そして、本処理を終了する。
【００４１】
ステップＳ１０７は、焦点制御手段による焦点制御の後に、ライブビュー表示を行うライブビュー表示手段として機能する。
【００４２】
ステップＳ１０３において、全体制御部１７は、カメラ本体１の向きがある閾値以上に下向きであったと判断した場合、カメラ本体１は撮影に適していない状態と判断し、ステップＳ１０８に移る。
【００４３】
ステップＳ１０８において、表示装置１２にカメラ本体１を被写体に向けるよう警告を出す。カメラ本体１がある閾値以上に下向きである状態としては、操作部材１６を操作中であるため撮像光学系２が被写体を捕らえていない状態や、撮影者がカメラ本体１を持ち運び中に誤って操作部材１６を操作してしまう状態が容易に想定される。この場合は、撮影に適していない状態と判断する。
【００４４】
ステップＳ１０８は、判断手段により撮影レンズ２が被写体に向いていないと判断された場合に、撮影レンズ２を被写体に向けるよう警告を行う警告手段として機能する。
【００４５】
次に、ステップＳ１０９に移り、表示装置１２において、撮影者にＡＦ・ＡＥ動作の許可・不許可を選択させる表示を行う。操作部材１６によりＡＦ・ＡＥの許可がなされると、ステップＳ１０４に移る。そして、ステップＳ１０４以降において、上記処理を繰り返す。
【００４６】
ステップＳ１０９は、警告手段による警告の後に、焦点制御手段による焦点制御を行うか否かを撮影者に選択させるための表示を行う表示手段として機能する。
【００４７】
ステップＳ１０９において、操作部材１６においてＡＦ・ＡＥの不許可が選択された場合においては、ステップＳ１０６に移り、速やかにクイックリターンミラー７及びＡＦ用ミラー９を跳ね上げ、ステップＳ１０７において、ライブビューの表示が開始される。
【００４８】
このように、ライブビュー開始のシーケンスにおいて、カメラ本体１の姿勢を検知し、カメラ本体１が撮影に適した状態では、ライブビュー表示時に位相差ＡＦをすることで、精度よく合焦した画像を速やかに表示することができる。
【００４９】
従って、カメラ本体１が撮影に適した状態では、撮影者の意図しない被写体にＡＦ動作をしてしまうことを避けることができ、かつ無駄な消費電力を抑えることができる。
【００５０】
図５は、図３の撮像装置によって実行されるライブビュー表示切り替え処理の第２の実施の形態の手順を示すフローチャートである。
【００５１】
本処理は、図３における全体制御部１７の制御の下に実行される。
【００５２】
カメラ本体１の起動時、カメラ本体１は、クイックリターンミラー７がダウン状態となっており、ステップＳ２０１で、操作部材１６のライブビュー（ＬＶ）開始釦の操作を受け付ける待機状態となる。
【００５３】
ライブビュー開始釦が押下されると、ステップＳ２０２に移り、カメラ本体１の撮影状況検知部１９の出力から、全体制御部１７がカメラ本体１の加速度を検知する。
【００５４】
ステップＳ２０２は、撮影レンズ２による撮影状況（カメラ本体１のぶれ）を検知する。
【００５５】
ステップＳ２０３において、撮影状況検知部１９の出力値がある閾値以下の場合、全体制御部１７は、カメラ本体１が撮影に適していると判断し、ステップＳ２０４に移る。
【００５６】
ステップＳ２０４において、ミラーダウンの状態のまま位相差ＡＦを行い、ステップＳ２０５において、非図示の測光装置において測光する。
【００５７】
ステップＳ２０６において、クイックリターンミラー７及びＡＦ用ミラー９をファインダ光学系８側に跳ね上げ、光束を撮像素子１１上に結像し、ステップＳ２０７において、表示装置１２にライブビューを表示する。そして、本処理を終了する。
【００５８】
ステップＳ２０３において、全体制御部１７は、加速度がある閾値を超えていると判断した場合、カメラ本体１は撮影に適していないと判断し、ステップＳ２０８に移る。
【００５９】
ステップＳ２０８において、表示装置１２に、カメラ本体１を被写体に向け固定するよう警告を出す。カメラ本体１が閾値を越えて加速度がある状態としては、操作部材１６を操作中あるいは操作後に撮像レンズ２を被写体に向けている最中である状態や、撮影者がカメラ本体１を持ち運び中に誤って操作部材１６を操作してしまう状態が容易に想定される。この場合は、撮影に適していない状態と判断する。
【００６０】
次に、ステップＳ２０９に移り、表示装置１２において、撮影者にＡＦ・ＡＥ動作の許可・不許可を選択させる表示を行う。操作部材１６によりＡＦ・ＡＥの許可がなされると、ステップＳ２０４に移る。そして、ステップＳ２０４以降において、上記処理を繰り返す。
【００６１】
ステップＳ２０９において、操作部材１６において不許可が選択された場合においては、ステップＳ２０６に移り、速やかにクイックリターンミラー７及びＡＦ用ミラー９を跳ね上げ、ステップＳ２０７において、ライブビューの表示が開始される。
【００６２】
このように、ライブビュー開始のシーケンスにおいて、カメラ本体１の加速度を検知し、カメラ本体１が撮影に適した状態では、ライブビュー表示時に位相差ＡＦをすることで、精度よく合焦した画像を速やかに表示することができる。
【００６３】
従って、カメラ本体１が撮影に適した状態では、撮影者の意図しない状態でＡＦ動作をしてしまうことを避けることができ、かつ無駄な消費電力を抑えることができる。
【図面の簡単な説明】
【００６４】
【図１】本発明の実施の形態に係る撮像装置において、ミラーダウンした状態の概略構成図である。
【図２】本発明の実施の形態に係る撮像装置において、ミラーアップした状態の概略構成図である。
【図３】図１の撮像装置のブロック図である。
【図４】図３の撮像装置によって実行されるライブビュー表示切り替え処理の第１の実施の形態の手順を示すフローチャートである。
【図５】図３の撮像装置によって実行されるライブビュー表示切り替え処理の第２の実施の形態の手順を示すフローチャートである。
【符号の説明】
【００６５】
１  カメラ本体
２  撮影レンズ
７  クイックリターンミラー
９  ＡＦ用ミラー
１１  撮像素子
１２  表示装置
１３  ＡＦ用センサ
１４  ＡＦ用レンズ
１６  操作部材
１７  全体制御部
１８  記憶装置
１９  影状況検知部
２０  光学ユニット部
２１  レンズ駆動部
【図１】
2010041490.tif 000003
【図２】
2010041490.tif 000004
【図３】
2010041490.tif 000005
【図４】
2010041490.tif 000006
【図５】
2010041490.tif 000007